(57)【特許請求の範囲】
【請求項１】
各色毎のトナー層を担持したトナー層担持体をそれぞれ備えた４つの現像器を感光体回転方向に沿って対峙させ、露光により潜像が形成される感光体に対応する各色毎の担持体のトナー層を順次接触させながら、該感光体を介して無端状中間転写体に多色トナー画像の転写を行なう多色電子写真装置において、
各色毎の潜像形成可能領域終端より次位の潜像形成可能領域始端までの感光体における潜像間通過時間（以下イメージ間時間という）が、現位のトナー担持体の現像終了後のトナー層切り離し時間と次位のトナー担持体の現像開始前のトナー層接触準備時間との加算時間（以下現位と次位の現像器切り換え時間という）より短いか、ほぼ同一に設定するとともに、各色のトナー担持体の配置をブラック画像にイエロー、シアン若しくはマゼンタが、又シアンやマゼンタ画像にはブラックが混色することなくイエローが混色するように配置するとともに、前記トナー層切り離しを行う穂切り切り換えクラッチのオンタイミングが現位の現像器の現像終了サイクルにおける終端時期以前でかつ、該穂切り切り換えクラッチの有効穂溜まりの状態が該終端時期まで継続する間になるように制御していることを特徴とする多色電子写真装置。
【発明の詳細な説明】
【発明の属する技術分野】
【０００１】
本発明は、各色毎のトナー層を担持した複数のトナー担持体を感光体回転方向に沿って対峙させ、露光により潜像が形成される感光体に対応する各色毎の担持体のトナー層を順次接触させながら、該感光体を介して無端状中間転写体に多色トナー画像の転写形成を行なう多色電子写真装置に係り、特に感光体周面に２成分磁気ブラシ現像、若しくは接触１成分現像の各色毎の現像器を４個配設した多色電子写真装置に関する。
【０００２】
【従来の技術】
従来より記録媒体を転写体に巻き付けて感光体上に現像された画像を一旦円筒状若しくは無端ベルト状の中間転写体上で色重ねして記録媒体に一括転写する中間転写方式が存在するが、かかる方式において、各色毎のトナー層を担持した現像ローラを夫々有する現像装置を感光体回転方向に沿って対峙させ、露光により潜像が形成される感光体に対応する各色毎の現像ローラのトナー層を順次接触させながら、該感光体を介して前記中間転写体に順次各色のトナー画像の色重ねを行なうようにしたものが存在する。
即ち前記感光体への現像方式としてトナーとキャリアからなる二成分現像方式とトナーのみからなる一成分現像方式とが存在するが、二成分現像方式においては磁気ブラシにより感光体ドラムを摺擦し、又一成分現像方式においてもトナー層を感光体に接触させて現像を行なっているものが多い。
【０００３】
このような二成分磁気ブラシ現像方式や接触１成分現像方式を採用している多色現像装置は、潜像形成可能領域終端より次位の潜像形成可能領域始端までの感光体における潜像間（以下イメージ間という）、より具体的には現位のトナー色現像後の次のトナー色が現像されるまでのイメージ間において、対応する夫々の現像器が次の色へ切換えるまでの離接動作中に、感光体上に現像ローラが接触しているため、感光体表面に地カブリを発生させてしまう。またその同じ感光体周面位置で次のイメージを現像する現像器が準備を行なうために、その現像器に前の現像器のイメージ間地カブリのトナーが混色してしまうという問題があった。
【０００４】
それを回避するためには、現像後の現位の現像器切換え時間と次位の現像器の現像準備時間を合わせた時間以上にイメージ間時間を設定して、お互いの動作が同じイメージ間の感光体の表面上で動作しないようにイメージ間時間を半分ずつに分けて、その分割イメージ間時間で夫々対応する現像器の切り換え動作を行なえるように前記イメージ間時間を十分取れば、混色の問題は回避できた。
【０００５】
【発明が解決しようとする課題】
しかしイメージ間時間を多く取るためには、そのイメージ間時間中、中間転写体が回転しているためにその分該転写体の周長を長くしなければならないという結果を生じてしまう。
転写体の周長が長くなってしまうことは、該転写体のイメージ間距離に対応させて、記録媒体間間隔を設定しなければならず、このことは１分間における画像転写が完了する記録紙の枚数をマシーンスピードＭＳ（ＰＰＭ）と定義すると、記録紙毎の転写位置通過距離（時間）が記録紙の搬送距離（時間）に前記イメージ間距離（時間）を加えた時間に設定せねばならず、この状態で所定の記録紙転写枚数を設定しようとすると、必然的に前記イメージ間距離（時間）だけ画像形成の為の線速が早くなってしまう。
【０００６】
一方、前記中間転写体に担持させた多色トナー像を記録媒体に定着させるにはモノクロの場合と異なり、四色の厚みを有するために熱エネルギーが大きく、このため定着品質効率を下げることなくマシンの高速化を達成するのが難しくなってしまっていた。
【０００７】
本発明はかかる課題に鑑み、画像形成の線速をできるだけ遅くしても、高い定着品質効率を達成しつつ、マシンの印字速度（ＰＰＭ）は高速化を実現するも、イメージ間カブリの混色に対しても色画像の乱れが生じることのない多色鮮明現像を可能とする電子写真装置を提供することを目的とする。
【０００８】
【課題を解決するための手段】
色画像の乱れが生じる原因は、イエロー画像にブラック、シアンやマゼンタが混色した場合、又シアンやマゼンタ画像にブラックが混色する場合のように、その混色は濃い色が薄い色に混色するのが問題である。
一方、ブラック画像にイエロー、シアンやマゼンタが混色する場合、又シアンやマゼンタ画像にイエローが混色する場合のように、薄い色が濃い色に混色しても色画像の乱れは生じない。
【０００９】
そこで上記目的を達成するため、本発明は、各色毎のトナー層を担持したトナー層担持体をそれぞれ備えた４つの現像器を感光体回転方向に沿って対峙させ、露光により潜像が形成される感光体に対応する各色毎の担持体のトナー層を順次接触させながら、該感光体を介して無端状中間転写体に多色トナー画像の転写を行なう多色電子写真装置において、
各色毎の潜像形成可能領域終端より次位の潜像形成可能領域始端までの感光体における潜像間通過時間（以下イメージ間時間という）が、現位のトナー担持体の現像終了後のトナー層切り離し時間と次位のトナー担持体の現像開始前のトナー層接触準備時間との加算時間（以下現位と次位の現像器切り換え時間という）より短いか、ほぼ同一に設定するとともに、各色のトナー担持体の配置をブラック画像にイエロー、シアン若しくはマゼンタが、又シアンやマゼンタ画像にはブラックが混色することなくイエローが混色するように配置するとともに、前記トナー層切り離しを行う穂切り切り換えクラッチのオンタイミングが現位の現像器の現像終了サイクルにおける終端時期以前でかつ、該穂切り切り換えクラッチの有効穂溜まりの状態が該終端時期まで継続する間になるように制御していることを特徴とする。
【００１０】
かかる発明によれば、前記イメージ間時間を現位と次位の現像器切り換え時間より短いか、ほぼ同一に設定し、これにより前記イメージ間距離（時間）を極力短くしてその分画像形成の為の線速をできるだけ遅くしても、高い定着品質効率を達成しつつ、マシンの印字速度（ＰＰＭ）は高速化を実現することが出来る。
この結果イメージ間でカブリの混色が生じるが、各色のトナー担持体の配置をブラック画像にイエロー、シアン若しくはマゼンタが、又シアンやマゼンタ画像にはブラックが混色することなくイエローが混色するように配置し、薄い色が濃い色に混色するようにしたために、色画像の乱れは生じることのない多色鮮明現像を可能としている
【００１３】
けだし前記イメージ間時間は、現位のトナー担持体の現像終了後のトナー層切り離しと次位のトナー担持体の現像開始前のトナー層接触準備を同時に行なう場合にも、現位の現像器切り換え時間と次位の現像器切り換え時間の一方の長い方の時間を必要とし、この場合前記イメージ間時間を０．１秒以下では現位若しくは次位の現像器切り換え時間に対応できない。
一方、前記前記イメージ間時間が０．５秒以上では、現位のトナー担持体の現像終了後のトナー層切り離し時間と次位のトナー担持体の現像開始前のトナー層接触準備時間との加算時間を超えてしまい、本発明の目的を達成できない。
【００１４】
本発明において、中間転写体の周長を「記録紙搬送方向長＋６〜６０ｍｍ（イメージ間距離）」の整数倍に設定する。
即ち、Ａ３サイズ（ダブルレターサイズも含む）若しくはＡ４サイズ（レターサイズも含む）の記録紙に画像転写を行なうことを可能にした多色電子写真装置において、Ａ３サイズの長手長は４３２ｍｍであり、一方Ａ４サイズの短手長は２１６ｍｍとこの幅でＡ４サイズの場合は二枚転写させることが出来るが、この場合６〜６０ｍｍ（イメージ間距離）もＡ４サイズの記録紙の前後に二倍必要となる。Ａ３サイズの記録紙を印刷可能な中間転写体を形成する場合、周長４４４ｍｍ以上５５２ｍｍ以下である必要がある。
【００１５】
又、Ａ４サイズの短手長は２１６ｍｍで、これに６〜６０ｍｍ（イメージ間距離）を加算すると中間転写体の周長を２２２ｍｍ以上２７６ｍｍ以下となる。
この場合、中間転写体の直径（周長）は感光体の整数倍にするのがよく、言換えれば感光体の周長比を１：１又は１：２、具体的には「２１６ｍｍ＋６〜３０ｍｍ（イメージ間距離）」に設定することにより露光制御と現像操作間のマッチング制御が容易となる。
【００１６】
かかる発明によれば、上記トナー担持体（現像器）の配置と中間転写体の周長規制を実施することにより、Ａ４サイズのマシン速度（ＰＰＭ）を同じ線速で比べれば、最大限にすることができ、かつイメージ間が短くなっていてもイメージ間混色は実用上問題の無いレベルにすることができる。
中間転写体の径をＡ３サイズのフルカラー印字できるようにした場合でもＡ４短手幅で２枚分印字することも可能であり、従って、上記の中間転写体の直径範囲であればＡ４横送りで最大のマシン速度を達成することができる。この時のイメージ間は定着器や露光手段であるポリゴンモータ回転数の限界から略０．５ｓ以下になってしまう。このような場合でも本発明は円滑に達成できる。
【００１７】
即ち、イメージ間時間を限界まで小さくし、かつ線速を限界まで上げ、切換え時間を最小にし、イメージ間カブリ混色の恐れがある場合でも、またイメージ間カブリ混色が発生しても、前記現像器の配置にすることにより、実用上問題のないレベルにすることができる。
【００１８】
【発明の実施の形態】
以下、図面を参照して本発明の好適な実施例を例示的に詳しく説明する。但しこの実施例に記載されている構成部品の寸法、材質、形状、その相対的配置等は特に特定的な記載がないかぎりは、この発明の範囲をそれに限定する趣旨ではなく、単なる説明例にすぎない。
【００１９】
図１はＡ４横送り８ＰＰＭを達成しようとした時の感光体ドラムと円筒中間転写体の構成図で、図１（Ａ）はＡ４横送りサイズまでの構成図であり、図１（Ｂ）はＡ３フルカラーまで対応しようとした時の構成図である。
その各プロセスについて簡単に説明するに、１は感光体ドラム、２Ａ、２Ｂは中間転写ドラムで、感光体ドラム１に現像したブラック、シアン、マゼンタ、イエローの各要素トナー像を中間転写ローラ３を介して順次中間転写ドラム２Ａ、２Ｂに転写し、該中間転写ドラム２Ａ、２Ｂに転写されたカラートナー像は転写ローラ３を介して、不図示のレジスト手段により転写位置に送給された記録媒体１１に転写され、不図示の画像定着ローラに搬送される。
【００２０】
一方感光体ドラム１には前記中間転写ローラ３が接触している中間転写位置より、ドラム回転方向に沿って残留トナーを除去するクリーナ手段５（ローラ又は／及びエッジクリーナ）、残留電荷を除去するイレーサ６、前記ドラム１に電荷を帯電させる帯電器７（スコロトン、帯電ローラ等）、変調レーザ若しくはＬＥＤ等を利用して感光体ドラム１に潜像を形成する光学系８、該光学系８の下流側に図１（Ａ）においてはイエロー、マゼンタ、シアン、ブラックの順に、又図１（Ｂ）においてはイエロー、シアン、マゼンタ、ブラックの順に、夫々各色のトナー現像器１０が配置されている。そして前記夫々の現像器１０には現像ローラとともに、該現像ローラの現像位置へのトナー供給／停止制御を行なうスリーブクラッチ９が配設されている。
【００２１】
スリーブクラッチ９は内部に磁石体が配設されており、該磁石体は現像ローラ側に揺動させることにより、トナーの供給が停止され、又現像ローラの反対側に揺動させることにより、トナーの供給が開始される。
【００２２】
かかる構成において、一般にＡ４機を作る場合、マシン幅方向を狭くして作る為、Ａ４縦送りが普通であるが、カラー電子写真装置の場合、Ａ４縦でマシンを構成すると、中間転写体上にＡ４縦の画像を重ね合わせなければならない為、中間転写ドラム２の周長はＡ４縦サイズの２９７ｍｍより長く必要になってしまう。その時のイメージ間を３０ｍｍと考えて中間転写ドラム２の直径（周長）を算出すると１０４ｍｍ（３２７ｍｍ）以上必要になることが分かる。
【００２３】
前記したようにカラー電子写真装置の場合、マシンの線速（記録紙の搬送速度）は中間転写ドラム２の直径で決まり、この１０４ｍｍの場合、Ａ４サイズの８ＰＰＭのマシンを実現しようとすると線速は１７４．３ｍｍ／ｓ必要になってしまう。現在の技術でカラー定着が達成できている線速は１５０ｍｍ／ｓ前後が技術的に限界になっていることから、現時点ではＡ４縦送り８ＰＰＭは非常に難しい技術であることが分かる。
そこでＡ４サイズの８ＰＰＭを達成する為にはＡ４横送りを採用することで中間転写ドラム２の直径を小さくすることができる。
【００２４】
そこで図１（Ａ）に示す本実施例はレターサイズの横送りが可能ということで２１６ｍｍの８ＰＰＭを達成する為に、感光体ドラム径にφ７８を使い、中間転写ドラム２にもφ７８を使って１：１の比で構成した。この時のイメージ間は２９ｍｍになり、８ＰＰＭを達成する為の線速は１３０．６９ｍｍ／ｓになり、Ａ４縦に比べ、約２５％線速をダウンすることができ、定着等の線速に対して現実味のある数値に近くなっている。
【００２５】
又図１（Ｂ）に示すものは感光体ドラム１と中間転写ドラム２の直径比（中間転写体がベルトの時は周長比）は１：２とし中間転写ドラム２の直径は１４０ｍｍ以上１７６ｍｍ（周長４４４ｍｍ以上５５２ｍｍ）以下に構成する。
即ちＡ３若しくはＡ４サイズの記録紙に画像転写を行なうことを可能にした多色電子写真装置において、Ａ３サイズの長手長は４３２ｍｍであり、一方Ａ４サイズの短手長は２１６ｍｍとこの幅でＡ４サイズの場合は二枚転写させることが出来るが、この場合６〜６０ｍｍ（イメージ間距離）もＡ４サイズの記録紙の前後に二倍必要となる。
従ってＡ３サイズの記録紙を印刷可能な中間転写ドラム２を形成する場合、周長４４４ｍｍ以上５５２ｍｍ以下である必要がある。
【００２６】
以上の理由で図１（Ａ）の場合、中間転写ドラム２の最小径は（２１６＋イメージ間）÷πという式で求めると、最小イメージ間を約６ｍｍとすると最小直径は約７１ｍｍであることが分かる。
又、最大直径は定着器の定着能力、又ポリゴンモ−タの限界から考慮して１５０ｍｍ／ｓ以下とすると８ＰＰＭ実現するための中間転写ドラム２の直径は約９０ｍｍ（周長略２８０ｍｍ）以下になることが分かる。従って、中間転写ドラム２の径が７０ｍｍ〜９０ｍｍの範囲内であればＡ４横送りの８ＰＰＭが実現できる範囲になる。この時のイメージ間の時間はφ７１ｍｍの時で約０．１〜０．２ｓ、φ９０の時で約０．５ｓになる。
【００２７】
又図１（Ｂ）に示すものは感光体ドラム１と中間転写ドラム２の直径比（中間転写体がベルトの時は周長比）は１：２とし中間転写ドラム２の直径は１４０ｍｍ以上１７６ｍｍ（周長４４４ｍｍ以上５５２ｍｍ）以下に構成する。
即ちＡ３若しくはＡ４サイズの記録紙に画像転写を行なうことを可能にした多色電子写真装置において、Ａ３サイズの長手長は４３２ｍｍであり、一方Ａ４サイズの短手長は２１６ｍｍとこの幅でＡ４サイズの場合は二枚転写させることが出来るが、この場合６〜６０ｍｍ（イメージ間距離）もＡ４サイズの記録紙の前後に二倍必要となる。
従ってＡ３サイズの記録紙を印刷可能な中間転写ドラム２を形成する場合、周長４４４ｍｍ以上５５２ｍｍ以下である必要がある。
【００２８】
以上の内容よりイメージ間は最大でも約０．５ｓしかないため、２成分磁気ブラシ現像方式や接触一成分方式ではこの時間の間に、現位の現像器１０で現像後の次位の現像器１０への切換え準備動作及び次位の現像器１０の現像準備動作を行なわなければならない。
そこで問題になるのが、２成分磁気ブラシ現像方式、接触一成分現像方式の場合、トナー層が感光体と接触しているために、該トナー層が感光体に接触している間は感光体表面に地カブリを発生させてしまうことになる。この地カブリが次現像器１０の中に混色しないようにするためには、イメージ間を半分に分けて、それぞれの現像器１０の切り換え工程を実現しなければならない。
【００２９】
従って、タイミング的に２つの動作を分けることはできるが、非常に短い時間の間に切換える動作がすぐに隣合っているため、混色する可能性はゼロにすることはできない。
従って、この短いイメージ間時間の中を２つの工程に分けることが混色に対して完全に有効だとは言いきれないことになる。従って、混色に対する危険性は完全に解決したとはいえない。
【００３０】
以上の理由により短いイメージ間時間で現位の現像器１０と次位の現像器１０を切り換える場合は、現像器１０の配置を混色しても問題の発生しにくい配置にすることが、最も安全であると考え、上記条件において現像器１０の配置を露光側からイエロー、マゼンタ、シアン、ブラック（図１（Ａ）参照）又はイエロー、シアン、マゼンタ、ブラック（図１（Ｂ）参照）と配置する。
このように現像器１０を配置にすることによりイメージ間混色が発生しても、ほとんど目立たない混色になり、問題になることがない。
【００３１】
かかる点を図２及び図３に基づいて説明する。
図２は現像器１０の切り換え時間を設定するもので、図中右方は現位（１色目）の現像器１０の現像終了サイクルを、又図上左方は次位（２色目）の現像器１０の現像開始サイクルを示す。
そして本実施例においては、イメージ間時間を短縮するために、現位（１色目）の現像器１０の現像終了サイクルにおいて、１色目の潜像終端時期以前に穂切り切り換えクラッチをＯＮしているが、その際１色目の潜像終端まで有効穂溜まりが状態が継続するように制御している。
【００３２】
即ち、１色目の潜像終端タイミングの略０．１ｓ前にスリーブ内の穂切り切り換えパルスをＯＮ（クラッチ応答時間２０ｍｓ）すると、穂切りマグネットが現像ローラの反対位置から対面位置まで所定角度回転して４２±１０ｍｓで穂切り位置に切り換わる。そして潜像終端タイミングで現像用ＡＣ電源をＯＦＦに落とす。このＡＣ電源立ち下がり時間が３０ｍｓで、この立ち下がり時間まで有効穂溜まり状態が継続し、その時間は６０ｍｓである。
【００３３】
その後、現像ローラの回転にしたがって現像位置にある残現像剤が回収される。（残現像剤回収時間：７８．５ｍｓ）
そして、前記したように現位の現像器１０の磁気ブラシ回収時間は、
（ＡＣ電源立ち下がり時間＋残現像剤回収時間＋クラッチ応答バラツキ）
＝３０ｍｓ＋７８．５ｍｓ＋（±１０ｍｓ）＝１０８．５±１０ｍｓ
となる。
【００３４】
一方、次位（２色目）の現像器１０の現像開始サイクルにおいても、イメージ間時間を短縮するために、２色目の潜像始端時期以前に穂切り切り換えクラッチをＯＮしているが、その際２色目の潜像始端までに有効穂溜まりが開始するように制御している。
即ち、１色目の潜像終端タイミングとほぼ同期してスリーブ内の穂切り切り換えパルスをＯＮ（クラッチ応答時間２０ｍｓ）すると、穂切りマグネットが現像ローラの対面位置から反対位置まで所定角度回転して４２±１０ｍｓで現像供給位置に切り換わる。その後、現像ローラの回転にしたがって穂切りマグネット対面位置にある現像剤が現像位置に導かれる。（現像剤移動時間：７８．５ｍｓ）
【００３５】
その後、円滑な現像を行なうための穂つぶれ形成時間が７８．５ｍｓ経過した後、現像用ＡＣ電源をＯＮする。このＡＣ電源立ち上がり時間が３０ｍｓである。
そして、前記したように次位の現像器１０の磁気ブラシ形成時間は、
（スリーブクラッチ応答バラツキ＋穂つぶれ形成時間＋ＡＣ電源立ち上がり時間）＝（＋１５〜−５ｍｓ）＋７８．５ｍｓ＋３０ｍｓ
＝１０３．５〜１２３．５ｍｓ
となる。
よってイメージ間時間は、（磁気ブラシ回収時間＋磁気ブラシ形成時間）
＝（１０８．５±１０ｍｓ）＋（１０３．５〜１２３．５ｍｓ）
となり、従ってイメージ間時間をこの場合は０．２ｓ以上に設定すれば全く問題ない。
【００３６】
次に前記構成に基づく画像形成手順を図３に基づいて説明する。
先ず現像器１０は図１（Ａ）に示すように、各色の現像器１０の配置を露光位置（潜像開始位置）から感光体ドラム１回転方向に沿ってイエロー、マゼンタ、シアン、ブラックの順に、言換えれば各色の現像器１０の配置を中間転写ドラム２側への転写位置から感光体反回転方向に沿ってブラッ、シアン、マゼンタ、イエローの順に配置している。
そしてかかる構成により、ブラックＫ、イエローＹ、シアンＣ、マゼンタＭ、（２枚目はブラックＫが最初）の順に現像を行なう。
【００３７】
そして図３中のＫ１構成は、ブラックＫの潜像を形成後、イメージ間始端がブラックＫの現像位置に到達している状態を示す。その後有効画像部でブラックＫが現像され、図中のＫ２構成はブラックＫの現像が終了した段階を示す。このＫ１〜Ｋ２でブラックＫのトナー像が形成される。
【００３８】
イエローＹの現像器１０ＹはブラックＫの現像器１０Ｋの上流側にあるために、ブラックＫの現像中にＹ１の図に示すように潜像が開始される。Ｙ１においては、イエローＹの潜像を形成後、イメージ間始端がイエローＹの現像位置に到達している状態を示す。その後有効画像部でイエローＹが現像され、図中のＹ２構成はイエローＹの現像が終了した段階を示す。このＹ１〜Ｙ２でイエローＹのトナー像が形成される。従ってイエローＹの磁気ブラシ形成段階（イメージ間）でブラックＫのトナーが回収されるが、言換えればブラックＫにイエローＹが混入されるが、ブラックＫの方がイエローＹより明度が濃い（低い）ために見掛け上の混色はない。
【００３９】
シアンＣの現像器１０ＣはイエローＹの現像器１０Ｙの下流側にあるために、イエローＹの現像後にＣ１の図に示すように潜像が開始される。Ｃ１においては、シアンＣの潜像を形成後、イメージ間始端がシアンＣの現像位置に到達している状態を示す。その後有効画像部でシアンＣが現像され、図中のＣ２構成はシアンＣの現像が終了した段階を示す。このＣ１〜Ｃ２でシアンＣのトナー像が形成される。従って、シアンＣの磁気ブラシ形成段階（イメージ間）でイエローＹのトナーが回収されるが、言換えればシアンＣにイエローＹが混入されるが、シアンＣの方がイエローＹより明度が濃い（低い）ために見掛け上の混色はない。
【００４０】
マゼンタＭの現像器１０ＭはシアンＣの現像器１０Ｃの上流側にあるために、シアンＣの現像中にＭ１の図に示すように潜像が開始される。Ｍ１においては、マゼンタＭの潜像を形成後、イメージ間始端がマゼンタＭの現像位置に到達している状態を示す。その後有効画像部でマゼンタＭが現像され、図中のＭ２構成はマゼンタＭの現像が終了した段階を示す。このＭ１〜Ｍ２でマゼンタＭのトナー像が形成される。従ってマゼンタＭの磁気ブラシ形成段階（イメージ間）でシアンＣのトナーが回収されるが、言換えればシアンＣにマゼンタＭが混入されるが、シアンＣとマゼンタＭとは明度が同等のために見掛け上の混色は低い。
Ｍ２の段階で２枚目のブラックＫの潜像が形成されるが、ブラックＫの潜像はマゼンタＭの下流になるのでマゼンタＭの回収領域はクリーニングされた表面である。従ってマゼンタＭには何色も混色しない。
【００４１】
次に図上右端のＫ１に示すように、１枚目のマゼンタＭが回収されたイメージ間で２枚目のブラックＫが形成される。従ってブラックＫにマゼンタＭが混入するが、ブラックＫの方がマゼンタＭより明度が濃い（低い）ために見掛け上の混色はない。又ブラックＫはマゼンタＭの下流側になるので、マゼンタＭの回収の後で形成されるために、マゼンタＭにはブラックＫの混色がない。
【００４２】
【発明の効果】
以上記載のごとく本発明によれば、画像形成の線速をできるだけ遅くし転写品質効率を達成しつつ、マシンの印字速度（ＰＰＭ）は高速化を実現するも、イメージ間カブリの混色に対しても色画像の乱れが生じることのない多色鮮明現像を可能とする。
【図面の簡単な説明】
【図１】  Ａ４横送り８ＰＰＭを達成しようとした時の感光体ドラムと円筒中間転写体の構成図で、（Ａ）はＡ４横送りサイズまでの構成図、（Ｂ）はＡ３フルカラーまで対応しようとした時の構成図である。
【図２】  現像器の切り換え時間を設定する作用図である。
【図３】  図１（Ａ）の配置構成に基づく画像形成手順を示す。
【符号の説明】
１      感光体ドラム
２Ａ、２Ｂ  中間転写ドラム
３      中間転写ローラ
５      クリーナ手段（ローラ又は／及びエッジクリーナ）
６      イレーサ
７      帯電器（スコロトン、帯電ローラ等）
８      潜像光学系
９      スリーブクラッチ
１０    トナー現像器
【図１】
0003734073.tif 000002
【図２】
0003734073.tif 000003
【図３】
0003734073.tif 000004